(57)【要約】【課題】ブースターケーブルのクリップ部が救援端子部から外れたり、救援端子部に対して倒れたりすることを防止することができるブースターケーブル保持構造を提供すること。【解決手段】ブースターケーブルの保持構造１において、樹脂製端子支持部４０は、クリップ部８０の複数の歯部８２によって押圧される樹脂製端子支持部４０の被押圧面４０ａに、挟持接続部２０を挟持した状態のクリップ部８０の押圧面幅方向に並んだ複数の歯部８２のうち、少なくとも２つの歯部８２の先端８２ａを一つの歯部８２毎に壁内面４１ａを近づけて囲う、あるいは少なくとも２つの歯部８２の先端８２ａを複数ひとまとめに壁内面４１ａを近づけて囲う歯部先端囲い壁部４１を有する。【選択図】図３
2015008057.tif 000002
【特許請求の範囲】
【請求項１】
絶縁樹脂製の構造本体部に板状に突設された救援端子部と、該救援端子部に面を重ねるように前記構造本体部に板状に突設された樹脂製の樹脂製端子支持部とを備えてブースターケーブルのクリップ部によって挟持される部分となる挟持接続部を有したブースターケーブルの保持構造において、
前記樹脂製端子支持部は、
前記クリップ部の複数の歯部によって押圧される前記樹脂製端子支持部の被押圧面に、前記挟持接続部を挟持した状態の前記クリップ部の押圧面幅方向に並んだ複数の前記歯部のうち、少なくとも二つの前記歯部の先端を一つの前記歯部毎に壁内面を近づけて囲う、あるいは前記少なくとも二つの歯部の先端を複数ひとまとめに壁内面を近づけて囲う歯部先端囲い壁部
を有する、
ことを特徴とするブースターケーブル保持構造。
【請求項２】
前記構造本体部は、
前記クリップ部の倒れを防止する倒れ防止壁
を有することを特徴とする請求項１に記載のブースターケーブル保持構造。
【請求項３】
当該ブースターケーブルの保持構造は、
前記救援端子部を覆うように保護する保護カバーが設けられ、
前記倒れ防止壁は、
前記保護カバーが係止される壁である
ことを特徴とする請求項２に記載のブースターケーブル保持構造。
【請求項４】
前記歯部先端囲い壁部は、
前記クリップ部の押圧面幅方向の両端に設けられた二つの前記歯部を囲うことを特徴とする請求項１、２、または３に記載のブースターケーブル保持構造。
【発明の詳細な説明】
【技術分野】
【０００１】
本発明は、ブースターケーブルを救援端子に接続保持させるブースターケーブルの保持構造に関する。
【背景技術】
【０００２】
従来、車両には、エンジンの始動、ランプ等の電装品への電力供給のため、バッテリーが搭載されている。このバッテリーは、リレー、ヒューズ等が装着された電気接続箱に電源線によって接続され、電気接続箱を介して電装品等への電力の供給がなされるようになっている。
近年、車載用のバッテリーは、電気自動車の仕様に対応して大型化しているため、設置場所がエンジンルームから、例えばトランクルームに変更される傾向にある。
【０００３】
ところで、バッテリーがあがってしまった場合、バッテリーの設置されたトランクルームを開けてバッテリーにブースターケーブルを繋ぐ必要がある。しかしながら、バッテリーはトランクルームの内装材の内側にある収容空間に設置されているため、内装材を取り外す必要があり作業が煩雑であった。
【０００４】
そこで、このような問題を解消するため、例えば、特許文献１には、ブースターケーブルをバッテリーに接続させる代わりに電気接続箱に設けられた救援端子部に接続し、電気接続箱を介してバッテリーを充電するようにした電気接続箱が記載されている。
【０００５】
特許文献１に記載された救援端子構造は、ブースターケーブルのクランプ部によって救援端子部とリブとを同時に挟持し、クランプ部の歯部がリブの間に食い込むことによってクランプ部が保持されるようになっている。
【先行技術文献】
【特許文献】
【０００６】
【特許文献１】特開２００９−２５２４５３号公報
【発明の概要】
【発明が解決しようとする課題】
【０００７】
しかしながら、特許文献１に記載された救援端子構造は、救援端子部の突出方向に沿って直線状に形成された複数のリブは、ブースターケーブルのクリップ部の歯部の移動を規制するリブの側面が平行に並んで設けられ、リブの間の歯部が一方向のリブの側面でしか移動が規制されるようになっていないので、ブースターケーブルの電線が引っ張られると、クリップ部が救援端子部から外れたり、救援端子部に対して倒れたりするおそれがあった。
【０００８】
本発明は、上記に鑑みてなされたものであって、ブースターケーブルのクリップ部が救援端子部から外れたり、救援端子部に対して倒れたりすることを防止することができるブースターケーブル保持構造を提供することを目的とする。
【課題を解決するための手段】
【０００９】
上述した課題を解決し、目的を達成するために、本発明の請求項１に係るブースターケーブル保持構造は、絶縁樹脂製の構造本体部に板状に突設された救援端子部と、該救援端子部に面を重ねるように前記構造本体部に板状に突設された樹脂製の樹脂製端子支持部とを備えてブースターケーブルのクリップ部によって挟持される部分となる挟持接続部を有したブースターケーブルの保持構造において、前記樹脂製端子支持部は、前記クリップ部の複数の歯部によって押圧される前記樹脂製端子支持部の被押圧面に、前記挟持接続部を挟持した状態の前記クリップ部の押圧面幅方向に並んだ複数の前記歯部のうち、少なくとも２つの前記歯部の先端を一つの前記歯部毎に壁内面を近づけて囲う、あるいは前記少なくとも２つの歯部の先端を複数ひとまとめに壁内面を近づけて囲う歯部先端囲い壁部を有することを特徴とする。
【００１０】
また、本発明の請求項２に係るブースターケーブル保持構造は、上記の発明において、前記構造本体部が前記クリップ部の倒れを防止する倒れ防止壁を有することを特徴とする。
【００１１】
また、本発明の請求項３に係るブースターケーブル保持構造は、上記の発明において、当該ブースターケーブルの保持構造が前記救援端子部を覆うように保護する保護カバーが設けられ、前記倒れ防止壁が前記保護カバーが係止される壁であることを特徴とする。
【００１２】
また、本発明の請求項４に係るブースターケーブル保持構造は、上記の発明において、前記歯部先端囲い壁部が前記クリップ部の押圧面幅方向の両端に設けられた二つの前記歯部を囲うことを特徴とする。
【発明の効果】
【００１３】
本発明の請求項１に係るブースターケーブル保持構造は、前記クリップ部の押圧面幅方向に並んだ少なくとも二つの前記歯部が、歯部毎、あるいは歯部の先端を複数ひとまとめに壁内面に近づくようにして前記歯部先端囲い壁部内に配置され、前記壁内面が各歯部の移動を阻止するように接触され、しかも、一つの前記歯部が回動支点となるように前記クリップ部が傾きかけた場合、回動支点にならない移動量の大きい他の前記歯部が前記壁内面に接触されることによって、前記クリップ部の位置および姿勢が正常に保たれ、結果的に、ブースターケーブルのクリップ部が救援端子部から外れたり、救援端子部に対して倒れたりすることを防止することができる。
【００１４】
本発明の請求項２に係るブースターケーブル保持構造は、前記倒れ防止壁によって前記クリップ部の倒れを防止することができるので、前記歯部先端囲い壁部と合わせて前記クリップ部の倒れ防止機能をさらに向上させることができる。
【００１５】
本発明の請求項３に係るブースターケーブル保持構造は、前記倒れ防止壁が前記保護カバーが係止される壁であり、前記倒れ防止壁のために新たに壁を設ける必要がない。
【００１６】
本発明の請求項４に係るブースターケーブル保持構造は、歯部先端囲い壁部がクリップ部の押圧面幅方向で、できる限り間隔を空けて設けられた二つの前記歯部を囲うようになっているので、回動支点にならない側の前記歯部の移動量をより大きくして検出でき、前記クリップ部の位置および姿勢の変化をより厳密にとらえるようにして前記歯部が前記壁内面に接触されることによって、ブースターケーブルのクリップ部が救援端子部から外れたり、救援端子部に対して倒れたりすることをより確実に防止することができる。
【図面の簡単な説明】
【００１７】
【図１】図１は、本発明の実施例に係るブースターケーブル保持構造が組み込まれた電気接続箱の斜視図である。
【図２】図２は、図１に示したブロックの挟持接続部周辺を拡大した斜視図である。
【図３】図３は、（ａ）が、図１に示した救援端子部にブースターケーブルが接続された状態を示した電気接続箱の斜視図であり、（ｂ）が、（ａ）の挟持接続部周辺を拡大するとともに電源線接続部を露出した状態を示した図である。
【図４】図４は、図３に示した挟持接続部周辺を下方から視た図である。
【図５】図５は、ブースターケーブル保持構造の歯部先端囲い壁部であって、クリップ部の二つの歯部が被押圧面を押圧した状態を被押圧面の正面から視た図であり、歯部を断面で示すとともにクリップ部の外郭を一点鎖線で示した図である。
【図６】図６は、歯部の形状が異なるブースターケーブルの一例を説明するための図であり、（ａ）がブースターケーブルの斜視図を示し、（ｂ）が歯部周辺を拡大した図を示した図である。
【図７】図７は、本発明の実施例に係るブースターケーブル保持構造の変形例のブースターケーブル保持構造の歯部先端囲い壁部であって、クリップ部の二つの歯部が被押圧面を押圧した状態を被押圧面の正面から視た図であり、歯部を断面で示すとともにクリップ部の外郭を一点鎖線で示した図である。
【図８】図８は、ブースターケーブルの電線が引っ張られた場合のクリップ部の動作に付いて説明するための図である。
【発明を実施するための形態】
【００１８】
以下、図面を参照して、本発明に係るブースターケーブル保持構造の好適な実施例を詳細に説明する。
【実施例】
【００１９】
図１は、本発明の実施例に係るブースターケーブル保持構造１が組み込まれた電気接続箱１００の斜視図である。図２は、図１に示したブロック１０の挟持接続部２０周辺を拡大した斜視図である。図３は、（ａ）が、図１に示した救援端子部３０にブースターケーブル７０が接続された状態を示した電気接続箱１００の斜視図であり、（ｂ）が、（ａ）の挟持接続部２０周辺を拡大するとともに電源線接続部１３を露出した状態を示した図である。図４は、図３に示した挟持接続部２０周辺を下方から視た図である。
なお、図３および図４においてクリップ部８０を保護する絶縁カバーＣについてはクリップ部８０が透視できるように仮想線で外郭線を示すようにしている。
また、本発明の実施例では説明の便宜上、図中に示すように上下方向を定義する。
本発明の実施例に係るブースターケーブル保持構造１は、例えば、車両のエンジンルームに設置される電気接続箱１００に設けられ、車両のトランクルームに設置された不図示のバッテリーがあがった場合、ブースターケーブル７０をバッテリーに接続する代わりにブースターケーブル保持構造１の救援端子部３０に接続することによって、不図示のバッテリーを充電することができるようになっている。
なお、この実施例では、電気接続箱１００の概要構成を説明しながら、ブースターケーブル保持構造１の詳細について説明する。
【００２０】
電気接続箱１００は、ブースターケーブル保持構造１が設けられるブロック１０と、ブロック１０が取り付けされる筒状のケース本体部１１０と、ケース本体部１１０の上面開口を覆う不図示のアッパーカバーと、ケース本体部１１０の下面開口を覆うロアカバー１２０と、を有する。
【００２１】
ブロック１０は、絶縁樹脂製のブロック本体部１１に、電気接続箱１００の導電路を形成するバスバー３１が組み込まれ、電気電子部品Ｅが装着される電気電子部品装着部１２と、不図示のバッテリーに接続される不図示の電源線が接続される電源線接続部１３と、ブースターケーブル保持構造１と、を有する。
【００２２】
バスバー３１は、プレス打ち抜き加工によって成形された板状金属部材であり、その一部が救援端子部３０、および電源線接続部１３を形成するようになっている。
【００２３】
電気電子部品装着部１２は、ブロック１０の上面側から各電気電子部品Ｅが装着されるように各電気電子部品Ｅに対応して隔壁によって区画された複数の部品装着室１２ａが装着口を上に向けて設けられている。
各電気電子部品Ｅは、各部品装着室１２ａに装着されることによって、部品装着室１２ａ内に配置され不図示の端子部品に接続され、端子部品を介して不図示の電線等に電気的に接続されるようになっている。
【００２４】
電源線接続部１３は、不図示のバッテリーのプラス電極に接続される不図示の電源線の端子が、図３に示すように、ボルトＢおよびナットＮによる螺合によって板金属部材１３ａに固定される部分である。なお、板金属部材１３ａがバスバー３１に接続されることによって、救援端子部３０と不図示の電源線とが電気的に接続されるようになっている。
【００２５】
ブースターケーブル保持構造１は、絶縁樹脂製の構造本体部としてのブロック本体部１１に板状に突設された救援端子部３０と、救援端子部３０に面を重ねるようにブロック本体部１１に板状に突設された樹脂製の樹脂製端子支持部４０とを備えてブースターケーブル７０のクリップ部８０によって挟持される部分となる挟持接続部２０を有する。
【００２６】
救援端子部３０は、バスバー３１の一部がケース本体部の外周壁の上端縁面よりも上方に向けて突出され、一方の面が樹脂製端子支持部４０に面を重ねるように配置されている。
【００２７】
樹脂製端子支持部４０は、ブロック本体部１１と同様の絶縁樹脂材からなり、ブロック本体部１１に一体的に形成されている。
この樹脂製端子支持部４０は、救援端子部３０の一方の面に重ねられるように、かつ救援端子３０と突出端面をほぼ一致させるように上方に向けて突出されることによって救援端子部３０の支持部として機能されるようになっている。
このような、救援端子部３０と樹脂製端子支持部４０とが重ねられるようにして構成された挟持接続部２０は、救援端子部３０と樹脂製端子支持部４０とを合わせた厚さがクリップ部８０によって挟持可能な厚さに調整されている。
【００２８】
この樹脂製端子支持部４０は、救援端子部３０に重ねられる側の面とは逆側の面、すなわちブースターケーブル７０のクリップ部８０が押圧される側の面（以下、被押圧面４０ａという。）に、挟持接続部２０を挟持した状態のクリップ部８０の押圧面幅方向に並んだ二つの歯部８２、８２の先端８２ａを一つの歯部８２毎に壁内面を近づけて囲う歯部先端囲い壁部４１を有する。
【００２９】
歯部先端囲い壁部４１は、より具体的には、クリップ部８０の先端部の押圧面幅方向の両端に設けられた二つの歯部８２、８２に対応した位置に設けられている。
二つの歯部８２、８２に対応した各歯部先端囲い壁部４１は、各歯部８２に壁内面４１ａを近づけるように、壁内面４１ａが略矩形状、あるいは、略三角形状に形成されている。
なお、歯部先端囲い壁部４１は、壁内面４１ａが略矩形状、あるいは、略三角形状に形成されているものを例示したが、これに限らず、歯部８２に壁内面４１ａを近づけるように形成されていればその他の形状であっても構わない。
【００３０】
ここで、図５を用いて、ブースターケーブルの電線が引っ張られた場合のクリップ部８０の動作について説明する。
図５は、ブースターケーブル保持構造１の歯部先端囲い壁部４１であって、クリップ部８０の二つの歯部８２が被押圧面を押圧した状態を被押圧面４０ａの正面から視た図であり、歯部８２を断面で示すとともにクリップ部８０の外郭を一点鎖線で示した図である。
【００３１】
図５（ｂ）に示すように、例えば、クリップ部８０が図中矢印Ａのように上方に移動されようとした場合、各歯部８２の先端８２ａが歯部先端囲い壁部４１の壁内面４１ａに接触されるため、クリップ部８０が救援端子部３０から外れることが阻止される。
【００３２】
また、図５（ｂ）に示すように、例えば、クリップ部８０が図中矢印Ｂのように回動されることによって倒れそうになった場合、各歯部８２の先端が８２ａ歯部先端囲い壁部４１の壁内面４１ａに接触されるため、クリップ部８０が救援端子部３０に対して傾くことが阻止される。
しかも、各歯部先端囲い壁部４１は、クリップ部８０の押圧面幅方向の両端に設けられた二つの歯部８２、８２を囲うようになっている。すなわち、各歯部先端囲い壁部４１は、クリップ部８０の押圧面幅方向でできる限り間隔を空けて設けられた二つの歯部８２、８２を囲うようになっている。このため、矢印Ｂの回動動作によってクリップ部８０が倒れそうになった場合、一方の歯部８２の移動量に対して他方の歯部８２の移動量が大きくなるようにクリップ部８０が動作されるため、移動量の大きくなる側の歯部８２がその歯部８２を囲う歯部先端囲い壁部４１に接触されることによってクリップ部８０の傾きが阻止される。
【００３３】
なお、この実施例では、歯部先端囲い壁部４１は、クリップ部８０の先端部の二つの歯部８２に対応した被押圧面４０ａ上の二箇所に設けられるとともに、二以上の複数の歯部８２、あるいは、この実施例のクリップ部８０とは異なるその他のクリップ部に対応できるように、複数の歯部先端囲い壁部４１が被押圧面４０ａ上の縦横方向に連続的に並んで設けられるようになっている。例えば、図６に示すように、歯部２１２が押圧面幅方向に連続的に形成されたクリップ部２１０を有するブースターケーブル２００を用いる場合、クリップ部２１０の押圧面幅方向に並ぶ各歯部２１２の先端２１２ａが歯部先端囲い壁部４１に囲われるようになっている。
【００３４】
また、ブースターケーブル保持構造１は、クリップ部８０の倒れを防止する倒れ防止壁５０を有する。
倒れ防止壁５０は、ブロック本体部１１に一体的に形成された絶縁樹脂製の壁であり、クリップ部８０が正常な姿勢から倒れるように姿勢を変化させた場合に、クリップ部８０の一対の挟持片８１、８１のうち救援端子部３０を押圧する側の挟持片８１が当接されることによってクリップ部８０が倒れることを防止するようになっている。
【００３５】
この倒れ防止壁５０は、クリップ部８０が挟持接続部２０を挟持した状態で、救援端子部３０を押圧する側の挟持片８１の側方に位置されている。
【００３６】
なお、倒れ防止壁５０は、後述する保護カバー６０が係止される壁としても機能されるようになっている。より具体的には、倒れ防止壁５０には、後述する保護カバー６０の係止突起６３ａが係止される係止溝５１が形成され、保護カバー６０の係止突起６３ａが係止溝５１に係止されることによって、保護カバー６０が挟持接続部２０に装着された状態でロックされるようになっている。
【００３７】
また、ブースターケーブル保持構造１は、救援端子部３０が保護カバー６０に覆われることよって、保護されるようになっている。
保護カバー６０は、矩形状の天井壁６１と、天井壁６１の縁面の４辺に沿ってそれぞれ立設された、支点側壁部６２と、弾性係止片部６３と、端子カバー壁部６４と、支持側壁部６５と、を有し、挟持接続部２０の上部から被せられる絶縁樹脂製のカバーである。
【００３８】
支点側壁部６２は、保護カバー６０がブロック本体部１１に設けられた回動支持部１４によって軸支される軸部６２ａが設けられた壁である。
弾性係止片部６３は、支点側壁部６２に対向する端部に配置され、倒れ防止壁５０の係止溝５１に係止される弾性係止片が設けられた部分である。この弾性係止片部６３の係止突起６３ａが係止溝５１に嵌ることによって、保護カバー６０が回動されないように倒れ防止壁５０に係止されるようになっている。
端子カバー壁部６４は、救援端子部３０を覆う壁であり、保護カバー６０が倒れ防止壁５０に係止された状態で、救援端子部３０の表面を覆うようになっている。
支持側壁部６５は、端子カバー壁部６４に対向配置された壁である。
このような保護カバー６０は、ブロック本体部１１の回動支持部１４に回動可能に支持されることによって、挟持接続部２０への着脱動作が可能になっている。
【００３９】
本発明の実施例に係るブースターケーブル保持構造１は、クリップ部８０の押圧面幅方向に並んだ二つの歯部８２、８２が、歯部毎８２に壁内面４１ａに近づくようにして歯部先端囲い壁部４１内に配置され、壁内面４１ａが各歯部８２の移動を阻止するように接触され、しかも、一つの歯部８２が回動支点となるようにクリップ部８０が傾きかけた場合、回動支点にならない移動量の大きい他の歯部８２が壁内面４１ａに接触されることによって、クリップ部８０の位置および姿勢が正常に保たれ、結果的に、ブースターケーブル７０のクリップ部８０が救援端子部３０から外れたり、救援端子部３０に対して倒れたりすることを防止することができる。
【００４０】
また、本発明の実施例に係るブースターケーブル保持構造１は、倒れ防止壁５０によってクリップ部８０の倒れを防止することができるので、歯部先端囲い壁部４１と合わせてクリップ部８０の倒れ防止機能をさらに向上させることができる。
【００４１】
また、本発明の実施例に係るブースターケーブル保持構造１は、倒れ防止壁５０が保護カバー６０が係止される壁であり、倒れ防止壁５０のために新たに壁を設ける必要がない。
【００４２】
また、本発明の実施例に係るブースターケーブル保持構造１は、歯部先端囲い壁部４１がクリップ部８０の押圧面幅方向で、できる限り間隔を空けて設けられた二つの歯部８２を囲うようになっているので、回動支点にならない側の歯部８２の移動量をより大きくして検出でき、クリップ部８０の位置および姿勢の変化をより厳密にとらえるようにして歯部８２が壁内面４１ａに接触されることによって、ブースターケーブル７０のクリップ部８０が救援端子部３０から外れたり、救援端子部３０に対して倒れたりすることをより確実に防止することができる。
【００４３】
（変形例）
次に、図７および図８を用いて、本発明の実施例に係るブースターケーブル保持構造１の変形例について説明する。
図７は、本発明の実施例に係るブースターケーブル保持構造１の変形例のブースターケーブル保持構造２の歯部先端囲い壁部９１であって、クリップ部８０の二つの歯部が被押圧面９０ａを押圧した状態を被押圧面９０ａの正面から視た図であり、歯部８２を断面で示すとともにクリップ部８０の外郭を一点鎖線で示した図である。
図８は、ブースターケーブルの電線が引っ張られた場合のクリップ部８０の動作に付いて説明するための図である。
この変形例のブースターケーブル保持構造２は、歯部先端囲い壁部９１が２つの歯部８２、８２の先端８２ａを複数ひとまとめに壁内面９１ａを近づけて囲う点で実施例のブースターケーブル保持構造１と異なる。
なお、その他の構成は実施例と同様であり、実施例と同一構成部分には同一符号を付している。
【００４４】
歯部先端囲い壁部９１は、クリップ部８０の二つの歯部８２、８２によって押圧される樹脂製端子支持部９０の被押圧面９０ａに、挟持接続部２０を挟持した状態のクリップ部８０の押圧面幅方向に並んだ２つの歯部８２、８２の先端を複数ひとまとめに壁内面９１ａを近づけて囲うようになっている。
このため、図８（ａ）に示すように、例えば、クリップ部８０が図中矢印Ａのように上方に移動されようとした場合、各歯部８２の先端が歯部先端囲い壁部９１の壁内面９１ａに接触されるため、クリップ部８０が救援端子部３０から外れることが阻止される。
【００４５】
また、図８（ｂ）に示すように、例えば、クリップ部８０が図中矢印Ｂのように回動されることによって倒れそうになった場合、各歯部８２の先端８２ａが歯部先端囲い壁部９１の壁内面９１ａに接触されるため、クリップ部８０が救援端子部３０に対して傾くことが阻止される。
しかも、各歯部先端囲い壁部９１は、クリップ部８０の幅方向両端部に設けられた二つの歯部８２、８２を囲うようになっている。すなわち、各歯部先端囲い壁部９１は、クリップ部８０の幅方向でできる限り間隔を空けて設けられた二つの歯部８２、８２を囲うようになっている。このため、矢印Ｂの回動動作によってクリップ部８０が倒れそうになった場合、一方の歯部８２の移動量に対して他方の歯部８２の移動量が大きくなるようにクリップ部８０が動作されるため、移動量の大きくなる側の歯部８２がその歯部８２を囲う歯部先端囲い壁部９１に接触されることによってクリップ部８０の傾きが阻止される。
【００４６】
この変形例のブースターケーブル保持構造２は、クリップ部８０の押圧面幅方向に並んだ二つの歯部８２、８２が、歯部８２の先端８２ａを複数ひとまとめに壁内面９１ａに近づくようにして歯部先端囲い壁部９１内に配置され、壁内面９１ａが各歯部８２の移動を阻止するように接触され、しかも、一つの歯部８２が回動支点となるようにクリップ部８０が傾きかけた場合、回動支点にならない移動量の大きい他の歯部８２が壁内面９１ａに接触されることによって、クリップ部８０の位置および姿勢が正常に保たれるので、実施例のブースターケーブル保持構造１と同様な効果を奏することができる。
【００４７】
なお、本発明の実施例に係るブースターケーブルの保持構造１、２は、電気接続箱１００に組み込まれるものを例示したが、これに限らず、電気接続箱１００以外のものに組み込まれるようにしても構わない。
【００４８】
また、本発明の実施例に係るブースターケーブルの保持構造１、２は、倒れ防止壁５０を有するものを例示したが、これに限らず、倒れ防止壁５０を有しないものであっても構わない。
【００４９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５０】
１、２      ブースターケーブルの保持構造
１０        ブロック
１１        ブロック本体部（構造本体部）
１２        電気電子部品装着部
１２ａ      部品装着室
１３        電源線接続部
１３ａ      板金属部材
１４        回動支持部
２０        挟持接続部
３０        救援端子部
３１        バスバー
４０、９０  樹脂製端子支持部
４０ａ、９０ａ  被押圧面
４１、９１  歯部先端囲い壁部
４１ａ、９１ａ  壁内面
５０        倒れ防止壁
５１        係止溝
６０        保護カバー
６１        天井壁
６２        支点側壁部
６２ａ      軸部
６３        弾性係止片部
６３ａ      係止突起
６４        端子カバー壁部
６５        支持側壁部
７０、２００  ブースターケーブル
８０、２１０  クリップ部
８１、２１１  挟持片
８２、２１２  歯部
８２ａ、２１２ａ  先端
１００      電気接続箱
１１０      ケース本体部
１２０      ロアカバー
【図１】
2015008057.tif 000003
【図２】
2015008057.tif 000004
【図３】
2015008057.tif 000005
【図４】
2015008057.tif 000006
【図５】
2015008057.tif 000007
【図６】
2015008057.tif 000008
【図７】
2015008057.tif 000009
【図８】
2015008057.tif 000010